(57)【特許請求の範囲】
【請求項１】
洋生物の外観を有し、且つ
非浮揚性部材と、
少なくとも１つの浮揚性部材を備え、
前記少なくとも１つの浮揚性部材は、海洋生物の肢の外観を有し、前記浮揚性部材と前記非浮揚性部材との間に配置されるフレキシブルコネクタを介して前記非浮揚性部材に接続され又は接続可能であるように構成されることによって、前記フレキシブルコネクタが前記浮揚性部材を前記非浮揚性部材から離間して配置させるように構成されており、
前記フレキシブルコネクタは、前記非浮揚性部材が水面の下で海床に着座するとき、前記浮揚性部材の全体が前記非浮揚性部材の上方に浮動するように前記非浮揚性部材に対して独立して移動するように構成されているルアー。
【請求項２】
前記浮揚性部材は、少なくとも１つの浮揚特性を有する請求項１に記載のルアー。
【請求項３】
前記浮揚性部材は、前記非浮揚性部材よりも大きな浮揚性を有する部材である請求項１又は２に記載のルアー。
【請求項４】
前記浮揚特性は、前記浮揚性部材が前記非浮揚性部材よりも密度の低い材料から形成されることである請求項１から３のいずれか一項に記載のルアー。
【請求項５】
前記浮揚性部材と前記非浮揚性部材は、異なる材料から形成される請求項１から４のいずれか一項に記載のルアー。
【請求項６】
前記浮揚性部材と前記非浮揚性部材は、同じ材料から形成される請求項１から４のいずれか一項に記載のルアー。
【請求項７】
前記浮揚性部材は、前記非浮揚性部材よりも密度が低い請求項６に記載のルアー。
【請求項８】
前記浮揚性部材と前記非浮揚性部材は、異なる密度の材料から形成される請求項１から５のいずれか一項に記載のルアー。
【請求項９】
前記浮揚性部材は、軟性プラスチック材料、発泡材、硬性プラスチック材料及びゴムの内の１つ以上から少なくとも部分的に形成される請求項１から８のいずれか一項に記載のルアー。
【請求項１０】
前記浮揚性部材は、軟質プラスチックから形成される請求項１から９のいずれか一項に記載のルアー。
【請求項１１】
前記非浮揚性部材は、硬質プラスチックから形成される請求項１から１０のいずれか一項に記載のルアー。
【請求項１２】
前記ルアーに取り付けられる又は取り付け可能な釣り針を更に備える請求項１から１１のいずれか一項に記載のルアー。
【請求項１３】
前記釣り針は、使用中に前記浮揚性部材によって前記非浮揚性部材の上方に支持される請求項１２に記載のルアー。
【請求項１４】
前記釣り針は、使用中に前記浮揚性部材によって前記非浮揚性部材から離間される請求項１２又は１３に記載のルアー。
【請求項１５】
前記釣り針は、前記浮揚性部材の中にセットされる請求項１２から１４のいずれか一項に記載のルアー。
【請求項１６】
オモリを更に備える請求項１から１５のいずれか一項に記載のルアー。
【請求項１７】
前記非浮揚性部材は、材料本体を備え、前記オモリは、前記材料本体内へ鋳込まれる請求項１６に記載のルアー。
【請求項１８】
前記非浮揚性部材は、使用中に、海床上に又は海床の直上に着座するように十分に重たい請求項１から１７のいずれか一項に記載のルアー。
【請求項１９】
前記浮揚性部材は、前記非浮揚性部材から接続解除可能である、請求項１から１８のいずれか一項に記載のルアー。
【請求項２０】
前記フレキシブルコネクタは、一対の相互接続されるループであり、前記対のループの一方は、前記各浮揚性部材に設けられ、前記対のループの他方は、前記非浮揚性部材に設けられる請求項１に記載のルアー。
【請求項２１】
蟹の外観を有するように形作られる請求項１から２０のいずれか一項に記載のルアー。
【請求項２２】
前記非浮揚性部材は、頭胸部の外観を有するように形作られる請求項２１に記載のルアー。
【請求項２３】
前記浮揚性部材は、蟹の肢の外観を擬態するような複数の部材の１つである請求項２１又は２２に記載のルアー。
【請求項２４】
前記浮揚性肢は、前記蟹の爪の外観を擬態する請求項２３に記載のルアー。
【請求項２５】
蟹の脚の外観を擬態する肢を更に備える請求項１から２４のいずれか一項に記載のルアー。
【請求項２６】
前記肢は、浮揚性材料から形成される請求項２５に記載のルアー。
【請求項２７】
前記肢は、浮揚性材料と非浮揚性材料の組合せから形成される請求項２５に記載のルアー。
【請求項２８】
前記浮揚性部材は、前記ルアー周りに動く水に各部材の目に見える動きを引き起こさせることができる密度を有する材料から形成される請求項１から２７のいずれか一項に記載のルアー。
【発明の詳細な説明】
【技術分野】
【０００１】
本発明は、魚又は他の海洋生物をおびき寄せるために使用されるルアーに関する。
【背景技術】
【０００２】
ルアーは、魚の注意を引き付ける、典型的には、魚にルアーを噛ませるために使用される。これらのルアーは、しばしば、ルアーを噛む魚を引っ掛ける１つ以上の針で形成される。
【０００３】
ルアーは、通常、特定のタイプの魚を捕獲するように設計される。従って、各ルアーは、捕獲しようとしている魚の通常の食べ物の外観を擬態する。
【０００４】
ルアーの有用性にもかかわらず、魚は、餌（例えば、生き餌や新鮮な実際の生物）により引き付けられる。なぜなら、餌は、魚が通常食べる物の匂いを有する又はその物のように動くからである。餌の動きは魚の目をキャッチし、匂いは餌が目の届かないところにある場合でも魚を引き付ける。しかしながら、餌は、冷凍されていない限り良好に保たれず、冷凍が利用できない状況でルアーはより実用的である。
【発明の概要】
【０００５】
この明細書で使用される用語“肢”及び“肢（複数）”のような変形は、その範囲内において、制限するわけではないが、脚、腕、尾、ひれ状の足、頭、ひれ又は羽を含む海洋生物の付属器官及び四肢を含むことを意図している。
【０００６】
この明細書で使用される用語“浮揚性の”及び“浮揚性”のような変形は、海水等の水での浮揚性をさすが、新鮮な水や他の流体における浮揚性を指してもよい。
【０００７】
本発明は、海洋生物の外観を有し、且つ
非浮揚性部材と、
水面下で前記非浮揚性部材の上方で浮動するように前記非浮揚性部材に接続される又は接続可能な少なくとも１つの浮揚性部材を備えるルアーを提供する。
【０００８】
好適な実施形態は、材料本体内に包まれる又は材料本体中に鋳込まれるオモリを提供できる。
【０００９】
好適な実施形態は、使用中に浮揚性部材によって非浮揚性部材の上方に支持される釣り針を提供できる。
【００１０】
好適な実施形態は、浮揚性部材中にセットされる釣り針を提供できる。
【００１１】
好適な実施形態は、蟹の形状に形作られたルアーを提供できる。
【００１２】
好適な実施形態は、１つ以上の浮揚性部材を提供でき、前記１つ以上の浮揚性部材は、それらの部材又はそれらの部材の各々においてルアー周りで動く水に目に見える動きを引き起こさせることを可能とする密度を有する材料から形成される。
【００１３】
好適な実施形態は、ルアーがまねる即ち擬態しようとする海洋生物のスケールパターンを再生するように形作られる及び／又は着色（例えば、光が少ない又は濁った状態に対して、又は特定のエリアにおける蟹が自然に光を放つところでＵＶ発光ペイントを使用すること）されえる。例えば、図１に示されるような蟹のスケールパターンが提供されえる。
【００１４】
好適な実施形態は、ルアーの投げ込みや沈降レートを調整するように、好ましくはルアーの内部に配置される相互交換可能なオモリを使用できる。オモリは、例えば、蟹に形作られたルアーに対しては、オモリの１つ（又は、オモリが無い場合ルアー自体）が、ルアーを実際の蟹が沈むのと同じレートで沈ませるように選択される。
【００１５】
浮揚性部材は、少なくとも１つの浮揚特性を有することができる。
【００１６】
浮揚性部材は、非浮揚性部材よりも大きな浮揚性の物でありえる。
【００１７】
浮揚特性とは、浮揚性部材が非浮揚性部材よりも密度が小さい材料から形成されることであってもよい。浮揚特性とは、浮揚性部材が非浮揚性部材よりも平均密度が小さい材料から形成されることであってもよい。浮揚特性とは、浮揚性部材が非浮揚性部材の上方に浮動するように形作られることであってもよい。
【００１８】
浮揚性部材は、非浮揚性部材の上方に浮動するように成形されえる。
【００１９】
浮揚性部材は、１つ以上のエアポケットを含みえる。
【００２０】
浮揚性部材の平均密度は、浮揚性部材が形成される材料と１つ以上のエアポケット中の空気との組合せ質量を、浮揚性部材が形成される材料によって包まれる且つ前記１つ以上のエアポケットの容積を含む容積で割ることで計算可能である。
【００２１】
前記浮揚性部材と前記非浮揚性部材は、異なる材料から形成されることができる。
【００２２】
前記浮揚性部材と前記非浮揚性部材は、同じ材料から形成されることができる。
【００２３】
前記浮揚性部材は、前記非浮揚性部材よりも低密度である。
前記浮揚特性は、前記浮揚性部材が前記非浮揚性部材より平均密度が低いことである。
【００２４】
前記浮揚性部材は、前記浮揚性部材が前記非浮揚性部材の上方に浮動するように形作られてもよい。
【００２５】
前記浮揚特性は、前記浮揚性部材が、前記非浮揚性部材の上方で浮動するように形作られることである。
【００２６】
前記浮揚性部材は、１つ以上のエアポケットを含むことができる。
【００２７】
前記浮揚性部材の平均密度は、前記浮揚性部材が形成される材料と前記１つ以上のエアポケット内の空気の組合せ質量が、前記浮揚性部材が形成される前記材料によって囲まれ且つ前記少なくとも１つのエアポケットの容積を含む容積によって割られることを使用して計算することができる。
【００２８】
前記浮揚性部材と前記非浮揚性部材は、異なる密度の材料から形成されることができる。
【００２９】
浮揚部材は、軟質プラスチック材料、発泡材、硬質プラスチック材料及びゴムの１つ以上から少なくとも部分的に形成されえる。
【００３０】
前記浮揚性部材は、軟質プラスチックから形成されることができる。
【００３１】
前記非浮揚性部材は、硬質プラスチックから形成されることができる。
【００３２】
前記浮揚性部材は、海洋生物の肢の外観を有しうる。
【００３３】
更に、前記ルアーに取り付けられる又は取り付け可能な釣り針があってもよい。
【００３４】
前記釣り針は、ルアーに取り付けられる又は取り付け可能である。
【００３５】
前記釣り針は、前記浮揚性部材に取り付けられる又は取り付け可能である。
【００３６】
前記釣り針は、使用中に前記浮揚性部材によって前記非浮揚性部材の上方に支持されることができる。
【００３７】
前記釣り針は、使用中に前記浮揚性部材によって前記非浮揚性部材から離間されることができる。
【００３８】
前記釣り針は、前記浮揚性部材中にセットされることができる。
【００３９】
前記ルアーは、更に、オモリを備えることができる。
【００４０】
前記非浮揚性部材は、材料本体を備えることができ、前記オモリは、前記材料本体に鋳込まれる。
【００４１】
前記非浮揚性部材の前記平均密度は、前記オモリと前記材料本体の組合せ質量を前記オモリと前記材料本体の容積の組合せ容積で割ることで計算することができる。
【００４２】
前記オモリは、前記本体に接続される又は接続可能である。
【００４３】
前記非浮揚性部材は、十分に重く、それによって、非浮揚性部材が、使用中に海床に又はその直上に着座する。
【００４４】
前記浮揚性部材は、前記非浮揚性部材から接続解除されることができる。
【００４５】
前記非浮揚性部材及び前記浮揚性部材又は各浮揚性部材は、各フレキシブルコネクタを介して接続される又は接続可能である。
【００４６】
前記各フレキシブルコネクタは、一対の相互接続ループであり、前記対のループの一方は、前記各浮揚性部材に設けられ、前記対のループの他方は、前記非浮揚性部材に設けられる。
【００４７】
前記ルアーは、蟹の外観を有するように形作られる。
【００４８】
前記非浮揚性部材は、頭胸部の外観を有するように形作られる。
【００４９】
前記浮揚性部材は、蟹の肢の外観を擬態するような複数の部材の１つであってもよい。
【００５０】
前記浮揚性肢は、蟹の爪の外観を擬態することができる。
【００５１】
前記ルアーは、更に、蟹の爪の外観を擬態する肢を備えることができる。
【００５２】
前記肢は、浮揚性材料から形成されることができる。
【００５３】
前記肢は、浮揚性材料と非浮揚性材料の組合せから形成されることができる。
【００５４】
前記浮揚性部材は、前記ルアー周りを動く水に各部材の目に見える動きをさせることができる密度を有する材料から形成されることができる。
【００５５】
前記ルアーは、更に、匂い室を含むことができる。
【００５６】
本発明は、また、海洋生物の少なくとも一部の外観を有する浮揚性部材を提供し、この浮揚性部材は、
浮揚性本体と、
前記浮揚性部材によっておびき寄せられる海洋生物へ定着するための定着部材とを備える。
【００５７】
好適な実施形態は、更に、前記浮揚性部材を釣り具へ取付けるための取付け部材を含むことができる。
【図面の簡単な説明】
【００５８】
【図１】本発明の一実施形態に係るルアーの透視平面図である。
【図２】図１のルアーの分解された即ちばらにされた図である。
【図３】ルアーの他の実施形態の本体の部分横断面図である。
【図４】防御位置にある右（浮揚性）爪を有する水の下に位置される図１のルアーの正面図である。
【図５】図１のルアーの側面透視図である。
【図６】図１のルアー本体の上部がその本体の下部に固定される前の、ルアー本体のその上部の下側の大写し図である。
【図７】図１のルアーの下部の分解図である。
【図８】本体に配置される脚を有する図７のルアーを示す。
【図９】本体内の所定位置に脚を固定するベースプレートを有する図８のルアーを示す。
【図１０】流体のための流路を特定してルアーから匂いを散布する、本発明に係るルアーの他の実施形態の側面断面図である。
【図１１】匂いがルアー内に導入され且つ水がルアーに入って匂いと混じる後部匂い孔を示す、図１０のルアーの上面図である。
【図１２】匂いと水の混合物がそこを通ってルアーを出て周囲の水に入る前部匂い孔を示す、図１１のルアーの正面図である。
【発明を実施するための形態】
【００５９】
好適な実施形態は、添付の図面を参照して、単なる非制限例を介して説明される。
【００６０】
図１に示されるルアー１０は、海洋生物の外観を有し、特に、蟹の外観を有するように形作られる。ルアー１０は、非浮揚性部材１２と多数の浮揚性脚１４を備える。
【００６１】
浮揚性肢１４は、水面下で非浮揚性部材１２の上方に浮動するように非浮揚性部材１２に接続される。
【００６２】
ルアー１０は、更に、ルアー１０によっておびき寄せられる魚（図示せず）を引っ掛けるために、夫々の浮揚性肢１４へ取付けられる一対の三叉の釣り針１６を備える。
【００６３】
ルアー１０は、魚をおびき寄せるように蟹の外観を有し、この蟹は、魚の通常の食物の一部である。このために、非浮揚性部材１２は、蟹の頭胸部の外観を有するように成形され、浮揚性肢１４は、爪の外観を有し、ルアー１０は、更に、蟹の脚の外観を有する非浮揚性肢１８を備える。蟹の脚１８と頭胸部１２は、共に非浮揚性部材を構成することができるが、本実施形態は、ルアー１０の実質的な組み付け解除を可能とするように分離された又は分離可能な機能部である。
【００６４】
加えて、脚１８を有するか又は有さない非浮揚性部材１２と浮揚性部材１４は、同じ又は同様な材料から形成することができ、非浮揚性部材１２は、非浮揚性部材１２を水中に沈降させるようにオモリを含む又はカプセルに包む。例えば、非浮揚性部材１２と浮揚性部材１２は、軟質又は硬質プラスチック材料から形成することができる。しかしながら、図１に示される実施形態では、非浮揚性部材１２は、硬質プラスチック材料から形成され、浮揚性部材１４は、軟質プラスチック材料（例えば、発泡材）から形成される。
【００６５】
非浮揚性部材１２が硬質プラスチックから形成され、脚１８が軟質プラスチックから形成されてもよい。脚１８が軟質プラスチックから形成される場合、ルアーを通って移動する水は、ルアー１０を作る脚１８の動きを水の下で這うように見せる。更に他の代替として、脚の幾つかは、他の脚よりもより剛性の高い材料から形成することができ、それによって、より高い剛性材料から形成された脚は、水体の床の上方にルアー１０を維持し、他方、水は、ルアー１０を作るようにより剛性の低い材料から形成された脚の動きを水体の床を這うように見せる。
【００６６】
非浮揚性部材即ち本体１２、や浮揚性部材１４の形状と表面は、特定の生物の外観をまねるように設計されることができる。当然のことながら、非浮揚性部材１２の形状と外観における変形に関する以下の記述は、浮揚性部材１４の形状と外観に同様に適用可能である。
【００６７】
非浮揚性部材１２は、上述のように、輪郭が作られ（例えば、形作られ）て、生きた蟹の頭胸部のスケールパターンを模造する外観（例えば、色、反射率）が与えられる。例えば、非浮揚性部材１２は、種々の色、サイズ、光沢、スケールパターン及び重みで提供されえ、生きた蟹や他の生物、特に、ルアーの使用が意図される特定のエリアに固有の蟹や生物、の色、サイズ、光沢、スケールパターン及び重みと同じ特性をまねるように適切な非浮揚性部材１２の選択を可能とする。設計における同じ変化性は、肢１４、１８にも当てはまり、肢１４、１８の特性は、本体１２の特性とは独立して選択することができる。
【００６８】
加えて、非浮揚性部材１２と浮揚性部材１４の数は、特定の海洋生物と一致する外観、又は病気や傷付いた海洋生物の外観（例えば、爪が取れた蟹）さえ提供するように選択することができる。
【００６９】
図２を参照すると、本体１２は、２つの非類似の部品２０と２２及びオモリ４４を備える。これらの部品２０と２２は、一体に、永久的に溶接、接着又は接続されて非浮揚性頭胸部部材１２の大部分を形成する。オモリは、本体１２をオモリ４４の周りに鋳造するなどして本体１２内へ形成することができる。しかしながら、以下に記述のする実施形態では、オモリ４４は、除去可能な方法で、本体１２内に取り付けられる又はカプセルに包まれる。これによって、オモリ４４を、異なるサイズ及び／又は質量の他のオモリと相互交換することができる。
【００７０】
図３に示される他の実施形態では、部品２０ｉと２２ｉは、一体に接続可能で擬態された蟹頭胸部１２ｉを形成する。なお、これらの部品２０ｉと２２ｉは、夫々、擬態された頭胸部１２の下部品と上部品であるが、本体１２と類似の本体１２ｉは、本体１２ｉを形成するために任意の数の異なる方法で一体となる任意の数のコンポーネントを備えることができる。
【００７１】
部品２０ｉと２２ｉは、任意の既知のシステムで一体に接続することができ、図３に示される突出部２４と２６、スロット２８と３０、及び孔３２の協働システムを含む。部品２０ｉと２２ｉを一体に組み付けるために、突出部２４は、スロット２８内へ挿入される。下部品２０ｉの回転によって、突出部２４は、スロット２８内へ更に進入して、突出部２６をスロット３０内で上下に架け渡す。一旦スロット３０内に完全に挿入されると、突出部２６のこぶが孔３２内へ突出して突出部２６をスロット３０内の所定位置に保持し且つ下部品２０ｉを上部品２２ｉにロックする。部品２０ｉと２２ｉを分離するために、突出部２６のこぶが孔３２内へ押し返されるため突出部２６をスロット３０から引き抜くことができる。
【００７２】
図２の実施形態を更に参照すると、本体１２の下部品２０は、下部品２０を貫通して延在する１対の貫通孔３４を含み、上部品２２は、協働する対の窪み３６（図６を参照）を含む。２つの部品２０と２２が一体に溶接或いは固定されると、貫通孔３４と窪み３６は、一列になって下部品２０の下側からアクセスできるより大きな窪み即ち凹所を形成する。凹所は、各々、一組の脚１８の基部８０、即ち一部を受容するように形作られる。
【００７３】
ルアー１０は、更に、部品２０と２２とが一体となる前に、上部品２２内の夫々のキャビティ４０内に受容される２つのボールベアリング３８を含む。キャビティ４０は、下部品２０の上表面と共にガタツキ室を形成する。組み付けられた蟹本体１２が動く（例えば、水や魚の衝突の影響下で）と、ボールベアリング３８がガタツキ室内で回ってガタつき、蟹の爪を蟹の頭胸部の前外側の歯又は側方のとげ状突起に、又は角やこぶに擦る際に蟹によって作られる音をまねる。
【００７４】
下部分２０は、ルアー１０の“頭部”の前に向かう２つの浮揚性キャビティ４１を含む。これらのキャビティは、本体１２の上部品に小さな浮動性を提供してルアー１０が水体の床上に引っ繰り返って着座する場合、ルアー１０自身が“復元する”のを助ける。キャビティ４１は、一般的に、空気が充填され、ルアー１０が水を通って沈降するので、且つそれが水体の床の上に静止する時に、ルアー１０の正しい位置を維持するのを助ける。
【００７５】
これら２つのキャビティ４１は小さく、三角形である。しかし当然のことながら、任意の数のそのようなキャビティがあってもよく、且つこれらのキャビティが任意の望ましい形状を有していてもよく、或いは、キャビティ４１がある状況下では全くなくてもよい。加えて、浮揚性部材１４はルアー１０が沈降する時、及びルアー１０が水体の床に静止する時に、非浮揚性部材１２の配向が維持されるように、非浮揚性部材１２に対して位置決めされる又はそれに接続されることができる。
【００７６】
下部品２０は、更に、主要中央貫通孔４２を含み、上部品２２は、その貫通孔と一直線になるスロット４６を含む。各部品２０、２２に対して、貫通孔４２又はスロット４６は、本体１２の中間の下を前から後ろへ延在し、横断面で実質的に三角形であるが、任意の形状を使用することができる。
【００７７】
上部品２２と下部品２０が一体に固定されると、貫通孔４２とスロット４６は、本体１２内に大きな凹所４７を形成する（図７を参照）。匂い製品（例えば、オイル、カプセル又は蟹の肉）が凹所４７内に配置され、従って、凹所４７は、匂い室を形成することができる。
【００７８】
オモリ４４が図９に示されるように、下部品２０の下側に接続されると、貫通孔４２、窪み４６及びオモリ４４によって形成される匂い室４７は、実質的に閉鎖される。匂い室を実質的に閉鎖すると、匂いはトラップされ匂い室を冗長にしながら、匂いが下部品２０とオモリ４４との間からゆっくり漏出し、ルアー１０周りの水に匂いを与える。
【００７９】
図３を再び参照すると、上部品２２ｉと下部品２０ｉが解放可能に接続可能である場合、下部品２０ｉは、上部品２２ｉにおけるスロット４６ｉと類似の細長いスロット４２ｉを含む。上部品２２ｉと下部品２０ｉを、両者の間にオモリ４４をトラップするように一体にすることができ、オモリ４４の突出部４８は、上部品２２ｉのスロット４６ｉ内に受容され、それによって、本体１２ｉが組み立てられると、ベースプレート即ちオモリ４４を２つの部品２０ｉと２２ｉとの間の所定位置に保持する。オモリ４４の下のスロット４２ｉ中の空隙は実質的に閉鎖され、上述のものと同様の匂い室を構成することができる。
【００８０】
上部品２２ｉ又は下部品２０ｉのスロット４２ｉ又は４６ｉは、二者択一的に形作られてよく、それによって、突出部４８を受容するため及び突出部４８によって占有されていない窪みのエリアに匂い室を形成するために十分に大きいことから、他の部品２０ｉや２２ｉにおける窪みの必要性が回避される。
【００８１】
示される実施形態の匂い室とは対照的に、従来の技術の匂い室は、典型的に、匂いがルアー本体を出る専用のチャネルを有する。水中への匂いの散布は、チャネルの開口の性質に起因して迅速に生じる。従って、当然のことながら図面に示されるルアー１０の匂い室は、水中への匂いのゆっくりとした散布のみを許容することが意図され、且つそのようなゆっくりとした散布を許容する匂い室の任意の類似の配置が本開示内容に含まれることが意図されている。
【００８２】
図２と図６を参照すると、一対の組合せセットの溝５０（上部品２２と下部品２０の各々に一セット）は、下部品２０の貫通孔３４と貫通孔４２との間及び上部品２２の窪み３６とスロット４６との間に本体１２の後から且つ本体１２の外方へ蟹の爪が典型的に頭胸部１２に接続される位置まで延在する溝を含む。上部品２２のセットの溝５０の各溝は、下部品２０のセットの溝５０の１つの溝と組合い、２つの部品２０と２２が一体となる時に、それらのセットの溝５０は、本体１２を貫通するトンネルを形成する。これらの溝５０は、ぴったりと貫通ワイヤ５２を受容するように形作られて、本体１２の２つの部品２０と２２が一体になると、貫通ワイヤ５２は、トンネルのパスに一致してその中にトラップされる。
【００８３】
ルアー１０の組み立てられた状態において、貫通ワイヤ５２は、本体１２の側部と後部から外方へ延在し、ワイヤ５２と本体１２は、図１に示されるように、３つのループ５４、５６、５８を形成する。使用中、釣り糸６０は、後部ループ５８へ（又は、図５に示されるように、スプリングリング６２を介して後部ループ５８へ）繋がり、２つの浮揚性爪１４は、側方即ち側部ループ５４と５６に繋がる。
【００８４】
貫通ワイヤ５２の各端部に、チャンネル５０内の曲りや湾曲部６６と一致する、ある角度、例えば、９０°で通過する曲りや湾曲部６４が有る。曲がり６６は、貫通ワイヤ５２の端部６４を本体１２に固定し、魚が各側方ループ５４、５６に取り付けられた肢１４を引っ張った時、ワイヤの引き抜きを防止する。
【００８５】
当然のことながら、他の配置や接続部を、浮揚性肢１４を非浮揚性部材１２に接続するために、及び同様に、脚１８を非浮揚性部材１２に接続するために使用することができる。幾つかの実施形態では、接続部は、非浮揚性部材１２に対する浮揚性部材１４及び／又は脚１８の動きを、ルアー１０がまねるように設計される蟹や海洋生物の動きをより近似して再生する動きに制限するように選択される。
【００８６】
本体１２の上部品２２と下部品２０両方の前部に、各々が凸状の後部壁７２と７４を有する対の凹み６８と７０が有る。上部品２２と下部品２０が一体となると、下部品２０の凹み６８は、上部品２２の凹み７０と一列になり、２つの凹所を本体１２に形成し、各凹所は、凸状後部壁７２と７４と一列になることによって形成される凸状後部表面を有する。
【００８７】
凹み６８と７０によって形成される凹所は、蟹の目を擬態する楕円形の目やレンズを受容するように形作られる。これらの目７６は、凸状後部表面に糊付けされるか又は任意の適切な方法で取り付けることができる。
【００８８】
或いは、各凹み６８、７０の凸状後部壁を取り囲むスロットが設けられてもよい。上部品２２と下部品２０が一体になると、下部品２０のスロットは、上部品２２のスロットと一列になって、スロット７２と７４によって取り囲まれる面積は、各窪みの横断面積よりも大きくなる。
【００８９】
次に、楕円形の目やレンズは、スロットに遊嵌される又は締り嵌めされるように形作られることができ、上部品２２が下部品２０に当接すると、目は所定位置にロックされる。次に、目は、スロットによって囲まれるエリアを充填するので、凹みによって形成されるより小さな凹所を通って嵌るには大きすぎる。
【００９０】
ベースプレート即ちオモリ４４は、本体１２の下部品２０の下側に受容される。従って、ベースプレート４４は、本体１２を下方に押し下げる。ベースプレート４４は、実質的に平坦な部分７８とその平坦な部分７８から延在して突出する突出部４８を有する。図２に示される突出する突出部４８は、平坦な部分７８の前方へ延在するタブ４９と後方へ突出するこぶ７９を含む（図２を参照）。本体１２の下部品２０の下側は、下にタブ即ち舌部４９が受容されるリップ８１と、中に突出部４８の大部分が受容される溝４７と、背後にこぶ７９が受容されるタブ８５とを含む。従って、オモリ４４は、舌部４９がリップ８１の下側に受容されるまで溝４７を有する下側に沿って突出部４８を滑動することによって本体１２の下部品２０の下側に取り付けることができ、次に、ベースプレート４４の後部（こぶ７９に最も近い端部）は、下部品２０に向かって押されこぶ７９をタブ８５の背後の位置へ閉じ込め、それによって、オモリ４４は、図９に示されるように、本体１２の下部品２０へ解放可能にロックされる。
【００９１】
本実施形態から離れるが、オモリ４４の上表面は、オモリ４４を少なくとも部分的に横切るように或いはオモリ４４の周囲を少なくとも部分的に囲むように延在するゴム引きされた層即ちリップを含んでいてもよい。オモリ４４が下部品２０に接続されると、ゴム引きされた層即ちリップは、下部品２０に弾性的に重みがかかるように圧縮してオモリ４４と下部品２０との接続を向上する。従って、水を通るルアー１０の下降中、或いは魚がルアー１０に衝突する時、オモリ４４が外れる可能性が減少する。
【００９２】
なお、オモリ４４の本体１２の下部品２０への接続に先立って、上記で論じられたように、本体１２の部品２０と２２が一体にされる時に、一列になった貫通孔４４とスロット４６によって形成される溝４７に匂いが挿入されえる。
【００９３】
オモリ４４は、蟹ルアー１０のサイズに比例して設計され、それによって、蟹ルアー１０が水に沈降する時に、そのルアー１０は、生きた蟹が沈むレートで沈む。同様に、オモリ４４の質量は、水に対してルアー１０によって提示される表面積を考慮することができる。なぜなら、オモリ４４の質量を減少することなく本体１２の表面積を減少することはルアーの沈降をより速くするからである。本オモリ４４が、例えば、２．２ｇである場合、４．４ｇのオモリに交換されると、蟹ルアー１０はより速いレートで沈降する。任意の数のオモリ４４が存在してもよく、それによって、より速い流れやより深い水において、オモリを増加することができ、それによって、ルアー１０はより速いレートで沈降し、より遅い流れやより浅い水において、オモリ４４が減少されて、蟹ルアー１０は、生きた蟹が沈むレートにより近いレートで沈む。
【００９４】
図３の実施形態において、上部品２２ｉと下部品２０ｉが一体になった時、本体１２ｉが組み立てられると中にベースプレート４４が受容される空隙が生成される。それによって、ベースプレート４４は、プレート４４の重さに関係なく空隙内の所定位置に存在し、他のベースプレート（即ち、異なる質量のベースプレート）は、異なる密度の材料から形成することができ、ベースプレートが一貫した形状又はサイズを有することが可能となる、或いは、同じ限界寸法（例えば、一貫した形状の突出部４８と共に突出部４８の頂部とベースプレート４４の底部との間の距離）を有するように形成することができる。
【００９５】
オモリ４４は使用中にルアー１０の中の所定位置に相対的に固定されたままであることが望ましい。オモリ４４を所定位置に固定すると、ルアー１０が降下する時にオモリ４４が移動できなくなり、そうでない場合、ルアー１０をぎこちなく沈降させ、魚がルアー１０に衝突するのを阻止する可能性がある。自由な動きを可能とする場合、オモリ４４は、匂い室（例えば、図３に示されるスロット４２ｉ）回りに動き、実際に、望ましいレートよりも大きなレートでその室から匂いを押し出す又は吸い出す可能性がある。
【００９６】
オモリ４４をルアー１０内の又はその上の所定位置に維持するために、ルアー１０は、１つ以上の支持体を備えることができる。図３の実施形態では、１つの支持体がスロット４２ｉ内に配置される。支持体は、一対のリップ４５を備え、リップの１つがスロット４２ｉのいずれかの端部に配置される。リップ４５は、一緒に、前方端及び後方端でオモリ４４を支え、オモリ４４が望ましい所よりも更にスロット４２ｉ内に移動することを防止する。その結果、匂い室として使用のために容積が常にスロット４２ｉ内に保持される。
【００９７】
当然のことながら、支持体の多くの他の形態を使用することができる。例えば、下部品２０ｉの頂表面（例えば、下部品２０ｉのスロット４２ｉを囲む頂表面の部分）を、リップ４５を設ける代わりに使用することができる。或いは、リップ４５は、スロット４２ｉの周囲の周りに延在する単一のリップで交換されてもよい。
【００９８】
異なるサイズのオモリが使用される場合、支持体は、各オモリが着座するように設けることができる。例えば、一連の対となるリップは、スロット４２ｉの夫々の端部に段形状を与えるスロット４２ｉの各端部に設けられることができ、それによって、漸進的により小さくなるオモリが段リップの漸進的により近接する対によって支持される。
【００９９】
相互交換可能なオモリ４４の代替として、非浮揚性部材即ち本体は、海洋生物の望ましい部分を模造するのに適するものとして形作られる材料の塊（即ち、本体）に鋳込まれるオモリを備えることができる。例えば、オモリは、貫通ワイヤ５２上に鋳造される即ち鋳込まれることができ、次に、上部品２２と下部品２０は、貫通ワイヤ５２及びそれに鋳造されたオモリの回りに固定されてオモリを本体１２に内に固定する。この場合、オモリは、カプセルに包まれるため、相互交換できないが、複数の異なる重さの本体が、種々の条件での選択使用のために提供される。
【０１００】
脚１８が本体１２とは別個に形成される場合、本体１２の下部品２０は、図７にＸで示されるような外形とすることができ、脚１８の基部８０は、その外形と一致するように形作られる。外形Ｘの各領域内において、上記で論じられたように、一列になった貫通孔３４と窪み３６、更には凹所８７によって形成される凹所がある。
【０１０１】
脚１８は、共通の基部８０で結合するが、別個に設けられてもよい。脚１８が下部品２０の下側との当接部に倣わされると、各基部８０の一対のノブ状の突起８９（図２を参照）は、凹所８７に受容され、その凹所は、図７に示されるように、一列になった貫通孔３４と窪み３６によって形成される。次に、ベースプレート即ちオモリ４４は、下部品２０に接続され、図９に示されるように、脚１８を本体１２に留めて固定する。
【０１０２】
脚１８は、共通の基部に集まるのではなくて別々に設けられてもよく、また、任意の他の適切な方法で本体１２に接続されることができる。
【０１０３】
脚１８は、使用中に本体１２の下方に留まるように非浮揚性材料から形成することができる。或いは、ルアー１０周りに流れる水の影響下で脚１８に動きを生じさせるのが有利である場合、脚１８は、浮揚性材料から、又は浮揚性材料と非浮揚性材料の両方の組合せから形成することができる。
【０１０４】
浮揚性肢１４は、各々、蟹の爪の形状に事前形成される。各爪１４は、非浮揚性部材１２の上で三叉の針１６を支持する。図示の例では、三叉の針１６は、浮揚性部材１４にセットされ（例えば、浮揚性部材１４が針１６の回りに鋳造される又は嵌め込まれる）、三叉の針１６は、水の表面下で本体１２の上方で浮動する。三叉の針１６は、任意の他の方法で浮揚性肢１４上に支持されることができる。
【０１０５】
使用中、本体１２は、海床に載り、爪１４は、本体１２の上方で浮動する。爪１４が針１６と組み合わさると、使用中に爪１４が本体１２上を浮動するので、針１６は、海床の上方へ上昇される。これは、針１６が海床に引っかかる可能性を大きく減少する。
【０１０６】
また、金属ループ８２が各爪１４に組み込まれる。ループ８２が針１６からは別個に爪１４に形成されえると共に、本実施形態では、ループ８２が三叉の針１６の一部である。
【０１０７】
スプリングリング８４は、各爪１４のワイヤループ８２に取り付けられ、各スプリングリング８４は、本体１２上の各側方ループ５４、５６にも取り付けられる。スプリングリング８４により、脚１４は本体１２から接続解除されえる。各スプリングは、更に、各爪１４に当る魚の衝撃負荷（即ち、ショック）を幾分吸収する。
【０１０８】
このように、三叉の針１６は、貫通ワイヤ５２に接続され、貫通ワイヤ５２は、釣り糸６０に接続され、それによって、三叉の針１６を釣り糸６０へ接続する。その結果、大きな魚が、ルアー１０の本体１２や爪１４を壊そうとした場合、その魚は針１６と貫通ワイヤ５２との間の金属接続部へ金属を介して釣り糸６０になお引っ掛けられたままとなる。
【０１０９】
釣り針１６と肢１４は、また、夫々のスプリングリング８４に別個に取り付けることができる。更に、任意の適切なシステムは、肢１４、本体１２及び釣り針１６を接続するために使用することができ、肢１４は、それらが異なる材料や異なる密度の材料（例えば、浮揚性肢１４は軟性プラスチック、非浮揚性本体１２は剛性プラスチック）から形成されるとしても、本体１２と一体であることができる。そのシステムは、ループ５４と８２とスプリング８４の組合せのようなフレキシブルコネクタである、又は任意の他のコネクタシステムであってもよい。
【０１１０】
爪１４は、ルアー１０周りを移動する水に爪１４の目で見える動きを引き起させることができる密度を有する材料から形成される。このような材料は、軟性プラスチックや他の浮揚性材料であってもよい。水の移動によって影響が及ぼされる力が、特に、守り位置にある時に、蟹の爪１４を生きた蟹の動きをまねるように設計された方法で動かす。これは、図４に示される蟹のルアー１０の右の爪８６の位置によって証明される。
【０１１１】
反対に、脚１８が爪１４の材料と類似の材料から作られてもよいが、脚１８は、代わりに、重い材料（例えば、硬質プラスチック）から形成されてもよい。これによって、本体１２と爪１４が浮揚性材料から形成されることが可能となる。なぜなら、脚１８は、ルアー１０を押し下げる、或いは本体１２と脚１８を単一の一体片として製造することを容易にするからである。
【０１１２】
浮揚性部材１４は、非浮揚性部材１２の上方で浮動する。従って、浮揚性部材１４は、少なくとも１つの浮揚特性を有する。浮揚特性は、例えば、１つ以上のエアロフォイルを使用して、浮揚性部材１４を形作ることを含むことができ、それによって、浮揚性部材１４は、非浮揚性部材１２の上方で浮動する。この場合、浮揚性部材を通過して移動する水は、浮揚性部材１４を非浮揚性部材１２の上方で浮動させる。換言すれば、浮揚性部材１４は、動く水の中にある場合、浮揚する。或いは、又は加えて、浮揚特性は、浮揚性部材１４が非浮揚性部材１２よりも大きな浮揚性の部材であることである。
【０１１３】
非浮揚性部材１２の上方で浮動することができるために、浮揚性部材１４は、非浮揚性部材１２よりも低密度である。非浮揚性部材１２と浮揚性部材１４が同じ材料で形成されていようとなかろうと、浮揚性部材１４は、非浮揚性部材１２よりも平均密度が低い。換言すれば、非浮揚性部材１２と浮揚性部材１４の相対密度は、両者が異なる材料から形成されていること、又は、一方の材料が膨張される（例えば、多孔性である）且つ他方がそうではない場合、非浮揚性部材１２がオモリ４４を含む場合等に起因して、異なっており、それら全ては、本開示の範囲内に入ることを意図している。
【０１１４】
浮揚性を確保するために、浮揚性部材１４は、１つ以上のエアポケット（図示せず）を含むことができる。この場合、浮揚性部材１４の平均密度は、浮揚性部材１４が形成される材料と１つ以上のエアポケット中の空気の組合せ質量が、浮揚性部材１４が形成される材料によって囲まれ且つ１つ以上のエアポケットの容積を含む容積によって割られることを含む。
【０１１５】
同様に、非浮揚性部材１２は、オモリ４４を備えることができる。例えば、非浮揚性部材１２は、オモリ４４の周りの鋳造物中に材料本体を含むことができる。この場合、非浮揚性部材１２の平均密度は、オモリ４４とそのオモリ周りに鋳造された材料本体の組合せ質量がオモリ４４と材料本体の容積の組合せ容積によって割られることと同等である。
【０１１６】
非浮揚性部材１２の容積は、任意のキャビティの容積を含むことができるが、これらのキャビティは、一般的に、非浮揚性部材１２が沈降すると水で充填される。その結果、非浮揚性部材１２の平均密度は、非浮揚性部材１２が水の外では第１の平均密度を有し、且つ水中において非浮揚性部材１２中のキャビティ（単数又は複数）が水で満たされる時の第２の平均密度を有するように変化する。非浮揚性部材１２の平均密度は、あらゆる場合において、水中にある時の非浮揚性部材１２の平均密度であり、それは、キャビティ内に水を取り入れた時の密度、これらのキャビティの容積、非浮揚性部材１２に組み込まれた又は接続された任意のオモリの質量と容積等を含む。
【０１１７】
浮揚性部材１４がエアポケットを組み込む又は組み込まないに拘らず、浮揚性部材１４は、軟質プラスチック材料、発泡材、硬質プラスチック材料及びゴムの内の少なくとも１つから少なくとも部分的に形成されることができる。
【０１１８】
ルアー１０は、分解可能であることが意図されているので、ルアーの部品（例えば、非浮揚性部品１２、浮揚性部材１４、オモリ４４）の多くは、個別に供給されえる。例えば、浮揚性部材（例えば、爪／浮揚性肢１４）は、他の部品から別個に供給される。浮揚性部品は、浮揚性本体（例えば、蟹の爪のように形作られた浮揚性材料）及び浮揚性部材によっておびき寄せられた海洋生物に定着するための、１つ以上の針のような定着部材を含むことができる。
【０１１９】
浮揚性部材は、更に、浮揚性部材１４を釣り糸、おもり、ルアー又は釣り具の他の片へ取付けるための、リング８２のような取付け部材を含むことができる。取付け部材は、定着手段に直接接続することができる。例えば、定着部材が針であり、取付け部材がリングである場合、針とリングは、図２に関連して論じられたように、一体であってもよく、或いは、それらは、リング８４が針１６のリング８２とリンクするような方法で一緒にリンクされてもよい。次に、浮揚性本体は、例えば、定着部材の少なくとも一部の回りに鋳造することによって形成されてもよい。
【０１２０】
浮揚性本体は、上で論じられたように、爪のように形作られてもよく、又は、他に、海洋生物の他の部分の形状を備えていてもよく、その部分は、例えば、守る位置にある時に、蟹がその頭の上に爪を保持するように、浮動する又は高く保持されることが期待される。
【０１２１】
図１０乃至図１２は、ルアー１００の他の実施形態を示し、そこでは水を通るよう、ルアー１００を引っ張ることによって、水が匂い室１０２に引き込まれえる。ルアー１００の構造は、一般的には、ルアー１０に関連して上記で論じられた通りである。そのため、ルアー１００の構造の詳細の多くは、記述せず、非浮揚性部材１０４、オモリ１０６及びループ１０８を同一に扱い省略する。
【０１２２】
匂い室１０２は、本体１０４内の大きな凹所とオモリ１０６の上表面によって画定される。固体又は液体の香料（匂い物）は、オモリ１０６を取付ける前に、匂い室１０２に追加することができる。しかしながら、下記で論じられるように、本実施形態は、非浮揚性部材１０４と一体である永久固定のオモリ（単数又は複数）の使用が可能である。それまでは、ルアー１００は、オモリ１０６が非浮揚性部材１０４の所定場所に留まる間も、匂い室１０２を充填及び再充填できるように構成される。
【０１２３】
ルアー１０と同様に、ルアー１００も、蟹のように形作られる。しかしながら、ルアー１０に対比して、ルアー１００は、その後部に匂いポート即ち入口孔１１０及び前部に一対の匂いポート即ち出口孔１１２を含む。
【０１２４】
入口孔１１０は、匂い室１０２とルアー１００を囲む水との間の流体連通を可能とする手段である。入口孔１１０は、また、匂い室１０２を匂いで充填する又は再充填するために使用することができる。
【０１２５】
図１１に示されるように、入口孔１１０は、釣り糸や釣り具が取り付くループ１０８の下側に配置される。入口孔１１０は、僅かに上方に角度付され、それによって、入口孔１１０を介して匂い室１０２に入る水が矢印Ｘに示されるように僅かに下方へ向けられる。
【０１２６】
また、入口孔１１０は、ルアー１００を匂いで充填する又は再充填するためのポートを提供する。そのようにルアー１００を充填できることは、室１０２内の匂いが使い果たされた後、追加の匂いを室１０２内に導入するために、ルアー１００を分解する必要性を無くすことができる。
【０１２７】
匂いを、適切なデバイスによって、入口孔１１０を介して匂い室１０２に注入或いは送出することができる。
【０１２８】
水が入り、匂い室１０２を通って移動するので、水は、匂い室１０２で匂いと混ざる。水や流体を匂い中に又は匂いを通過するように移動させることによって、多くの状況において適切な混合が単純に生じる間に、流体の匂いとのより徹底的な或いは活発な混合を促進することが望ましい。そのように混合を促進するために、本体１０４の凹所又はオモリ１０６の上表面は、粗くされてもよく又は凹所の壁から匂い室１０２内に延在する内方に向けられた突起（図示せず）を有することができる。粗い壁と突起は、匂い室１０２を通る水の流れをかき乱す部材の例であり、乱流を増加し、流体の匂い室１０２内の匂いとの混合を促進する。
【０１２９】
混合の後、匂いと水の混合物は、出口孔１１２から出る。図１２に示される実施形態において、前方への出口孔１１２は、蟹の鼻孔を備え、匂い室１０２の上部に配置される。出口孔１１２は、ルアー１００がレベル表面にある時に、実質的に水平に延在するが、出口孔１１２は、任意の望ましい角度や配向を有していてもよい。空気のキャビティ１０２からの排出を確実にし、ルアー１００の沈降を促進するために、出口孔１１２を匂い室の上部に位置させることも有利である。このように、水がキャビティ内へ移動すると、空気が上方へ出口孔１１２から外へ押し出される。
【０１３０】
入口孔１１０と出口孔１１２の相対位置は、また、水の匂いとの混合を促進する。例えば、入口孔１１０が、僅かに上方へ角度付されると、入口孔１１０に入る水は、矢印Ｘで示されるように、僅かに下方へ向けられる。入口孔は、出口孔１１２に比較して、匂い室１０２に相対的に低く配置されるので、水は、上方へ移動して前方の出口孔１１２を通って出るために、入口孔１１０を通過した後方向を変えなければならない。入口孔１１０と出口孔１１２の位置と方向によって与えられるように匂い室１０２内で流体に方向を変えさせることは、匂い室１０２内での流体と匂いの混合を助けることになる。
【０１３１】
当然のことながら、入口孔と出口孔の数、それらの形状（例えば、丸形、楕円形、矩形）、配向（例えば、入口孔１１０が、使用中に水底や床から離れるように僅かに上方へ角度付される）、及び位置は、望ましいように選択されえる。例えば、単一の出口孔１１２や一対の入口孔１１０が設けられてもよい。或いは、共通の入口孔と出口孔（単数又は複数）（即ち、入口孔（単数又は複数）が出口孔（単数又は複数）でもある）があってもよい。
【０１３２】
水中での使用中、水は、一般的に、図１０に矢印Ｘで示される軌跡に従う。示されるように、水は、後部入口孔１１０を介して匂い室１０２に入り、匂い室１０２に含まれる匂いと混ざる。次に、匂いと水の混合物は、前方の出口孔１１２を出てルアー１００を囲む水に入る。水がルアー１００に入るレートを増加するために、後方への動きが、ループ１０８に取り付けられた釣り糸によってルアー１００に付与されえる。この後方への動きにより、水は入口孔１１０内の押し込みルアー１００を通過し、ルアー１００からの匂いの迅速な混合と分散を促進する。
【０１３３】
入口孔１１０及び／又は出口孔１１２は、流体の流入／流出を制限する、防止する、又は限定するシール（例えば、ゴムキャップ）を有していてもよく、それによって、ルアー１００が釣り糸によって水を通って引っ張られる時に混合が実質的に生じるに過ぎない。
【０１３４】
当然のことながら、多くの変形及び変更は、本発明の精神と範囲から逸脱することなく、ここに開示された実施形態に対して行われえる。特に、ルアー１０は、他の海洋生物、例えば、１本だけの肢を有する海洋生物を模倣することができる。また、ルアー１０は、図２に示されるように、後での組立のために、接続が解除された形態で提供されてもよい。ルアー１０の種々のコンポーネントが互いから接続解除されえるので、損傷を受けたコンポーネントを交換することができ、脚１８、爪１４及び本体１２の種々の異なる組合せを、特定の状況や特定の釣りスポットに合うように使用することができる。
【０１３５】
釣り針１６は、浮揚性部材、非浮揚性部材、又はルアー１０の他の場所に取り付けることができる。また、ルアー１０は、釣り針１６を含まなくてもよく、代わりに、釣り針は、ルアー１０によっておびき寄せられる魚を捕獲するよう、ルアー１０の上方の糸６０に設けられる又はルアー１０に関連して他に固定されてもよい。
【０１３６】
以下の請求項において及び本発明の先の記述において、言語又は必要な含意に起因して内容がそうでないことを求めている場合を除いて、語“備える（ｃｏｍｐｒｉｓｅ）”や“備える（ｃｏｍｐｒｉｓｅｓ）”又は“備える（ｃｏｍｐｒｉｓｉｎｇ）”のようなバリエーションは、包括的意味で、即ち、記述された機能の存在を指定するが本発明の種々の実施形態における更なる機能の存在や追加を排除しないように使用される。
【０１３７】
当然のことながら、いずれかの従来の技術の公開物がここで参照される場合、そのような参照は、その公開物がオーストラリアや他の国におけるその技術において共通一般知識の一部を構成するとの承認を構成しない。
【図１】
0006310913.tif 000002
【図２】
0006310913.tif 000003
【図３】
0006310913.tif 000004
【図４】
0006310913.tif 000005
【図５】
0006310913.tif 000006
【図６】
0006310913.tif 000007
【図７】
0006310913.tif 000008
【図８】
0006310913.tif 000009
【図９】
0006310913.tif 000010
【図１０】
0006310913.tif 000011
【図１１】
0006310913.tif 000012
【図１２】
0006310913.tif 000013